(57)【特許請求の範囲】
【請求項１】
左右に隣り合う第１片(11)と第２片(12)とを有する一枚の台紙(1) と、上記両片(11)(12)の境界にて台紙(1) 表面から起立する縦仕切(2) と、当該縦仕切(2) と交差して起立する横仕切(3) とを備え、
横仕切(3) は、縦仕切(2) 中に画された横仕切構成副片(14)と、第２片(12)中に画され横仕切構成副片(14)に連なる横仕切構成主片(13)とからなり、
第１片(11)は、縦仕切(2) の下を潜り第２片(12)との境界を超えて横仕切主片(13)の裏面側に伸びる延設部(4) を備えたものであり、
組み立て時、台紙(2) に畳まれた縦仕切(2) を起立させることにより、上記延設部(4) が、起立前の横仕切(3) を押圧し、横仕切構成主片(13)が台紙(1) から起き且つ当該横仕切副片(14)が縦仕切(2) 側に折り返されるものであることを特徴とする包装箱の中敷き。
【請求項２】
第１片(11)と、第１谷折目線(101) を介して第１片(11)の右側に延設された左面構成片(21)と、山折目線(100) を介して左面構成片(21)の右側に延設された右面構成片(22)と、第２谷折目線(102) を介して右面構成片(22)の右側に延設された第２片(12)とを備えた一枚の紙片よりなり、
第２片(12)は、左右方向に伸びその左端が第２谷折目線(102) に達する横谷折目線(103) と、左右方向に伸びその左端が第２谷折目線(102) に達する横切込線(104) と、横谷折目線(103) の右端と横切込線(104) の右端とを結ぶ副切込線(105) を有すると共に、これらの各線及び第２谷折目線(102) により第２片(12)の他の部位と区画された横仕切用主片(13)を備え、
右面構成片(22)は、横切込線(104) を左方に延長する横延長切込線(106) と、横延長切込線(106) の左端と横谷折目線(103) の左端と結ぶ副谷折目線(107) とを有すると共に、これらの各線及び及び第２谷折目線(102) により右面構成片(22)の他の部位と区画されて上記横仕切用主片(13)に連なる、横仕切用副片(14)を有し、
第１谷折目線(101) の一部は、左面構成片(21)の左端を超えて左面構成片(21)側に入り込むことにより、第１片(11)の右端の一部を左面構成片(21)側に延長する張出切込線(108) をなし、張出切込線(108) の最右端部は、紙片の前後方向について、横仕切用主片(13)又は横仕切用副片(14)とほぼ同じ位置にあることを特徴とする包装箱の中敷き用台紙。
【発明の詳細な説明】
【０００１】
【発明の属する技術分野】
本願発明は、包装箱の中敷き及びその台紙に関する。
【０００２】
【従来の技術】
例えば、贈答用の石鹸や菓子などの包装用箱などにおいて、通常、箱内に収容される複数の被収容物が所定の配置を崩さないように、間仕切りを備えた中敷きが、箱内に敷かれる。
このような中敷きとして、図６へ示す、台紙１から起立する縦仕切２と、縦仕切２と交差する横仕切３とを備えたものが、見受けられる（図中、Ｌは左方を、Ｒは右方を、Ｆは前方を、Ｂは後方を、Ｕは上方を、Ｓは下方を、夫々示している）。
図示の通り、この中敷きは、左右に隣り合う第１片１１と第２片１２とを有する一枚の台紙１と、上記両片１１，１２の境界にて台紙１表面から起立する縦仕切２とを備え、第２片１２及び縦仕切２に入れられた切り目から第２片１２及び縦仕切２の一部を起こすことによって当該縦仕切２と交差する横仕切３…３を第２片１２表面に起立させることが可能なものである。
【０００３】
具体的には、この包装箱の中敷きは、図７に示す通り、第１片１１と、第１谷折目線１０１を介してを第１片１１の右側に延設された左面構成片２１と、山折目線１００を介して左面構成片２１の右側に延設された右面構成片２２と、第２谷折目線１０２を介して右面構成片２２の右側に延設された第２片１２とを備えた一枚の紙片にて形成されたものである。上記の縦仕切２は、上記山折目線及び谷折目線の夫々を、山折り若しくは谷折りにし左面構成片２１と右面構成片２２とを重ねた状態に台紙１から起こすことにより、台紙１から起立させたものである。
そして、横仕切３の夫々は、第２片１２上に切目線と谷折目線とにて区画された横仕切用主片１３と、右面構成片２２に切目線と谷折目線とにて区画され且つ上記横仕切用主片１３に連なる横仕切用副片１４とに構成され、両者を夫々の切目線にて台紙１から切り離すと共に、両者を画する第２谷折目線１０２の一部を山折りにすることにて、台紙２に図６へ示すように立設することができる。
【０００４】
しかし、台紙に皺や傷をつけないように、指先で台紙から紙片を抜いて横仕切３を起こすのは、熟練を要し、面倒な作業である。
また、横仕切３が複数ある場合、横仕切３…３の一つ一つについて、そのような手間を強いられ、組み立ての能率の向上を阻むものとなっている。
【０００５】
【発明が解決しようとする課題】
そこで、本願発明は、包装箱の中敷き及びその台紙について、直接触れることなく簡便に、また、複数の横仕切を一度に、台紙より起立させることを可能として、上記の課題の解決を図るものである。
【０００６】
【課題を解決するための手段】
本願第１の発明に係る包装箱の中敷きは、左右に隣り合う第１片１１と第２片１２とを有する一枚の台紙１と、上記両片１１，１２の境界にて台紙１表面から起立する縦仕切２と、当該縦仕切２と交差して起立する横仕切３とを備える。
横仕切３は、縦仕切２中に画された横仕切構成副片１４と、第２片１２中に画され横仕切構成副片１４に連なる横仕切構成主片１３とからなる。第１片１１は、縦仕切２の下を潜り第２片１２との境界を超えて横仕切主片１３の裏面側に伸びる延設部４を備えたものである。組み立て時、台紙２に畳まれた縦仕切２を起立させることにより、上記延設部４が、起立前の横仕切３を押圧し、横仕切構成主片１３が台紙１から起き且つ当該横仕切副片１４が縦仕切２側に折り返される。
【０００７】
上記の手段を採る本願第１の発明に係る包装箱の中敷きは、台紙１表面から縦仕切２を起立される際に、延設部４の先端が、起立前の横仕切３の裏面を押圧してその起立を促し、当該横仕切３の起立を円滑に行うことを可能とした。即ち、作業者が、直接、横仕切構成主片１３又は横仕切構成副片１４に触れなくても、その起立を円滑に行うことができる。
【０００８】
本願第２の発明に係る包装箱の中敷き用台紙は、第１片１１と、第１谷折目線１０１を介して第１片１１の右側に延設された左面構成片２１と、山折目線１００を介して左面構成片２１の右側に延設された右面構成片２２と、第２谷折目線１０２を介して右面構成片２２の右側に延設された第２片１２とを備えた一枚の紙片よりなる。第２片１２は、左右方向に伸びその左端が第２谷折目線１０２に達する横谷折目線１０３と、左右方向に伸びその左端が第２谷折目線１０２に達する横切込線１０４と、横谷折目線１０３の右端と横切込線１０４の右端とを結ぶ副切込線１０５を有すると共に、これらの各線及び第２谷折目線１０２により第２片１２の他の部位と区画された横仕切用主片１３を備える。右面構成片２２は、横切込線１０４を左方に延長する横延長切込線１０６と、横延長切込線１０６の左端と横谷折目線１０３の左端と結ぶ副谷折目線１０７とを有すると共に、これらの各線及び及び第２谷折目線１０２により右面構成片２２の他の部位と区画されて上記横仕切用主片１３に連なる、横仕切用副片１４を有する。第１谷折目線１０１の一部は、左面構成片２１の左端を超えて左面構成片２１側に入り込むことにより、第１片１１の右端の一部を左面構成片２１側に延長する張出切込線１０８をなし、張出切込線１０８の最右端部は、紙片の前後方向について、横仕切用主片１３又は横仕切用副片１４とほぼ同じ位置にある。
【０００９】
上記の手段を採る本願第２の発明は、上記本願第１の発明を実施する具体的手段を提供し得た。
具体的には、この台紙の第１谷折目線１０１及び第２谷折目線１０２を谷折りにし、山折目線１００を山折りにすることによって、左面構成片２１及び右面構成片２２を起立させ、左面構成片２１及び右面構成片２２の裏面を、必要に応じ糊などの接着剤或いはその他の固着手段にて貼り合わせることにて、縦仕切を形成する。この際、張出切込線１０８にて、第１片１１の右端の一部が延設部として切り離され、横仕切用主片１３又は横仕切用副片１４に当該延設部の先端（右端）が伸びる。
この状態において、第１片１１と第２片１２とが広げられている場合両者を山折りにすると、或いは、第１片１１と第２片１２とが縦仕切２と逆の方向に山折りにされている場合両者を広げると、上記の延設部の先端が、台紙の裏面より、横仕切用主片１３或いは横仕切用副片１４を押圧して、両者を両者の間に位置する第２谷折目線１０２にて山折りにすることができる。これに伴い、横仕切用主片１３及び横仕切用副片１４は、横谷折目線１０３と副谷折目線１０７とにおいて谷折りにされ且つ横切込線１０４と副切込線１０５と横延長切込線１０６とにおいて台紙から切り離され、上記縦仕切と交差する横仕切として、台紙より起立する。
【００１０】
【発明の実施の形態】
以下、図面に基づき本願発明の実施の形態について説明する。
図１乃至図４へ、本願発明の一実施の形態を示す。図１はその展開平面図を示す（台紙１の表面側を示す）。図２はその組み立て途中の略斜視図を示す。図３はその組み立て完了後の略斜視図を示す。図４（Ａ）は図２の一部切欠要部縦断面図を示し、図４（Ｂ）は図３の一部切欠要部縦断面図を示す。
この包装箱の底敷きの各部の相対的な位置関係についての説明の便宜上、各図中、Ｌは左方を、Ｒは右方を、Ｆは前方を、Ｂは後方を、Ｕは上方を、Ｓは下方を、夫々示している。
【００１１】
図３へ示す通り、使用状態において、この包装箱の中敷きは、図中左から、副第２片１２ａと、第１片１１と、第２片１２とを有する一枚の台紙１にて形成される。この台紙１は、副第２片１２ａと第１片１１の境界にて台紙１から起立する副縦仕切２ａと、副第２片１２ａ上において当該副縦仕切２ａと交差する複数の副横仕切３ａ…３ａと、第１片１１及び第２片１２の境界にて台紙１表面から起立する縦仕切２と、第２片１２上において上当該縦仕切２と交差する複数の横仕切３…３とを備える。
【００１２】
この包装箱の中敷きに適した台紙１について、図１を用いて説明する。
この台紙１は、一枚の紙片であり、第１片１１と、第１谷折目線１０１を介して第１片１１の右側に延設された左面構成片２１と、山折目線１００を介して左面構成片２１の右側に延設された右面構成片２２と、第２谷折目線１０２を介して右面構成片２２の右側に延設された第２片１２と、副第１谷折目線１０１ａを介してを第１片１１の左側に延設された副左面構成片２１ａと、副山折目線１００ａを介して副左面構成片２１ａの左側に延設された副右面構成片２２ａと、副第２谷折目線１０２ａを介して副右面構成片２２ａの左側に延設された副第２片１２ａとを備える。
上記の左面構成片２１と右面構成片２２の左右の幅は、ほぼ等しい。また、上記の副左面構成片２１ａと副右面構成片２２ａの左右の幅も、ほぼ等しい。
【００１３】
第２片１２は、左右方向に伸びその左端が第２谷折目線１０２に達する横谷折目線１０３と、左右方向に伸びその左端が第２谷折目線１０２に達する横切込線１０４と、横谷折目線１０３の右端と横切込線１０４の右端とを結ぶ副切込線１０５を有すると共に、これらの各線及び第２谷折目線１０２により第２片１２の他の部位と区画された横仕切用主片１３を備える。右面構成片２２は、横切込線１０４を左方に延長する横延長切込線１０６と、横延長切込線１０６の左端と横谷折目線１０３の左端と結ぶ副谷折目線１０７とを有すると共に、これらの各線及び第２谷折目線１０２により右面構成片２２の他の部位と区画されて上記横仕切用主片１３に連なる、横仕切用副片１４を有する。第１谷折目線１０１の一部は、左面構成片２１の左端を超えて左面構成片２１側に入り込むことにより、第１片１１の右端の一部を左面構成片２１側に延長する張出切込線１０８をなし、張出切込線１０８の最右端部は、紙片の前後方向（Ｆ，Ｂ）について、横仕切用主片１３及び横仕切用副片１４とほぼ同じ位置にある。
【００１４】
副第２片１２ａは、左右方向に伸びその右端が副第２谷折目線１０２ａに達する副横谷折目線１０３ａと、左右方向に伸びその右端が副第２谷折目線１０２ａに達する副横切込線１０４ａと、副横谷折目線１０３ａの左端と副横切込線１０４ａの左端とを結ぶ副々切込線１０５ａを有すると共に、これらの各線及び副第２谷折目線１０２ａにより副第２片１２ａの他の部位と区画された副横仕切用主片１３ａを備える。副右面構成片２２ａは、副横切込線１０４ａを右方に延長する副横延長切込線１０６ａと、副横延長切込線１０６ａの右端と副横谷折目線１０３ａの右端と結ぶ副々谷折目線１０７ａとを有すると共に、これらの各線及び及び副第２谷折目線１０２ａにより副右面構成片２２ａの他の部位と区画されて上記副横仕切用主片１３ａに連なる、副横仕切用副片１４ａを有する。副第１谷折目線１０１ａの一部は、副左面構成片２１ａの右端を超えて副左面構成片２１ａ側に入り込むことにより、第１片１１の左端の一部を副左面構成片２１ａ側に延長する副張出切込線１０８ａをなし、副張出切込線１０８ａの最左端部は、紙片の前後方向（Ｆ，Ｂ）について、副横仕切用主片１３ａ及び副横仕切用副片１４ａとほぼ同じ位置にある。
【００１５】
この台紙の第１谷折目線１０１及び第２谷折目線１０２を谷折りにし、山折目線１００を山折りにすることによって、左面構成片２１及び右面構成片２２を起立させ、左面構成片２１及び右面構成片２２の裏面を、糊などの接着剤にて貼り合わせることにて、前記縦仕切２を形成する。この際、張出切込線１０８にて、第１片１１の右端の一部が延設部４として切り離され、縦仕切２の下を潜って、横仕切用主片１３及び横仕切用副片１４（の裏面）側に当該延設部４の先端（右端）が伸びる。
同様に、この台紙の副第１谷折目線１０１ａ及び副第２谷折目線１０２ａを谷折りにし、副山折目線１００ａを山折りにすることによって、副左面構成片２１ａ及び副右面構成片２２ａを起立させ、副左面構成片２１ａ及び副右面構成片２２ａの裏面を、糊などの接着剤にて貼り合わせることにて、前記副縦仕切２ａを形成する。この際、副張出切込線１０８ａにて、第１片１１の左端の一部が副延設部４ａとして切り離され、副縦仕切２ａの下を潜って、副横仕切用主片１３ａ及び副横仕切用副片１４ａ（の裏面）側に当該延設部４ａの先端（左端）が伸びる。
【００１６】
次に、横仕切３…３と副横仕切３ａ…３ａを台紙１から起立される手順について、説明する。
上記の通り縦仕切２及び副縦仕切２ａが立設され、台紙１の他の部位については展開した状態にあるとき、先ず、図２及び図４（Ａ）へ示す通り、第１片１１と第２片１２とを山折りにし、同様に、副第２片１２ａと第１片１１とを山折りにする（図４では、第１片１１と第２片１２の関係のみを示すが、第１片１１と副第２片１２ａとについても同様である）。
このような動作によって、上記の延設部４の先端が、台紙１の裏面より、横仕切用主片１３或いは横仕切用副片１４を押圧して、両者を台紙１より起こし且つ両者の間に位置する第２谷折目線１０２にて（谷折りではなく）山折りにする。同様に、上記の動作によって、上記の副延設部４ａの先端が、台紙１の裏面より、副横仕切用主片１３ａ或いは副横仕切用副片１４ａを押圧して、両者を台紙１より起こし且つ両者の間に位置する副第２谷折目線１０２ａにて（谷折りではなく）山折りにする。
そして、第１片１１と第２片１２、及び、副第２片１２ａと第１片１１とを、山折りの状態から、図３及び図４（Ｂ）へ示すように、再び元の状態に展開する。
【００１７】
上記の一連の動作に伴い、横仕切用主片１３及び横仕切用副片１４は、横谷折目線１０３と副谷折目線１０７とにおいて谷折りにされ、横切込線１０４と副切込線１０５と横延長切込線１０６とにおいて台紙から切り離され、上記縦仕切と交差する横仕切３として、台紙１表面より起立する。同様に、副横仕切用主片１３ａ及び副横仕切用副片１４ａは、副横谷折目線１０３ａと副々谷折目線１０７ａとにおいて谷折りにされ、副横切込線１０４ａと副々切込線１０５ａと副横延長切込線１０６ａとにおいて台紙から切り離され、上記縦仕切と交差する副横仕切３ａとして、台紙１表面より起立する。
上記において、第１片１１と第２片１２とが展開した状態から、横仕切３…３及び副横仕切３ａ…３ａを起立させる手順を説明した。この他、第１片１１と第２片１２とが折り畳まれた状態から展開するものとしても、その途中で、横仕切３…３及び副横仕切３ａ…３ａが、延設部４及び副延設部４ａに押圧され、上記と同様の作用を得ることができる。
この実施の形態において、延設部４及び副延設部４ａは、平面視において、略三角形状のものである。但し、延設部４及び副延設部４ａの形状については、このような形状に限定するものではなく、他の、多角形や曲線的形状、或いは直線と
曲線とにて構成された他の形状を採ることが可能である。
【００１８】
尚、この実施の形態では、一つの縦仕切２に対して横仕切３が３つ、一つの副縦仕切２に対して横仕切３が３つあるものを示し、また、これに対応して、台紙１には、横仕切用主片１３及び横仕切用副片１４が３対、副横仕切用主片１３ａ及び副横仕切用副片１４ａが３対あるものを示したが、このような数に限定するものではなく、必要に応じて変更可能である。
また、第２片１２及び副第２片１２ａのみならず、第１片１１にも、横仕切３や副横仕切３ａに相当する仕切を設けて実施することが可能である（図示せず）。
尚、図１乃至図４に示す実施の形態において、前後を逆にすれば、第１片１１に対して、副第２片１２ａが第２片１２に相当とする関係となり、各部（語頭に「副」を冠し番号の最後に「ａ」を付した部位）もそれに対応する（但し横仕切が起立する際に開く方向については、上記の実施の形態と前後逆さまになる。このような状態に対応して、副左面構成片２１ａと副右構成片２２ａについての「左」「右」の命名は、図中の左右と逆にしてある）。
また、第１片１１を中心として、その左右に、第２片１２や副第２片１２ａを備えるものとしたが、台紙各部の相対的な位置関係を説明する便宜上、そのように表現したものであり、第１片１１の上下に第２片１２や副第２片１２ａがあったとしても、横にして見て上記の関係にあるものは、本願発明に含まる。
【００１９】
図５に他の実施の形態を示す。
この台紙１は、第１片１１と、第１谷折目線１０１を介してを第１片１１の右側に延設された左面構成片２１と、山折目線１００を介して左面構成片２１の右側に延設された右面構成片２２と、第２谷折目線１０２を介して右面構成片２２の右側に延設された第２片１２と、次第２谷折目線１０２ｂを介してを第２片１２の右側に延設された次左面構成片２２ｂと、次山折目線１００ｂを介して次左面構成片２２ａの右側に延設された次右面構成片２１ｂと、次第１谷折目線１０１ｂを介して次右面構成片２１ｂの右側に延設された次第１片１１ｂとを備える。次第１谷折目線１０１ｂは、次第１片１１ｂを、次右面構成片２１ｂ側に延設する次張出切込線１０８ｂを備える。
この実施の形態では、第１片１１と第２片１２、及びこれらに付随する部位について、図１乃至図４に示す実施の形態と同様である。一方、この図５に示すものでは、第２片１２とその右側の次第１片１１ｂとの間に、次左面構成片２１ａと次右面構成片２２ｂとにて（次）縦仕切が形成され、更に、この（次）縦仕切に交差する（次）横仕切を構成する次横仕切用主片１３ｂ及び次横仕切用副片１４ｂの対が、第２片１２及びに次左面構成片２２ｂに設けられている。
図１乃至図４に示す実施と同様、第１片１１と第２片１２、及び、第２片１２と次第１片１１ｂを、山折りにした後、元の状態に広げることによって、張出切込線１０８が横仕切３を起立させるのと共に、次張出切込線１０８ｂにて次右面構成片２１ｂより次延設部が抜かれ、当該次延設部の先端が次横仕切を押圧して、これを台紙から起立させることができる。
【００２０】
上記の各実施の形態において、縦仕切２、副縦仕切２ａなどの縦仕切は、左面構成片２１と右面構成片２２、副左面構成片２１ａと副右面構成片２２ａなどの裏面を、糊などの接着剤にて接着し形成するものとしたが、接着以外の方法にて固着するものであっても実施可能であり、また、固着しないものとしても実施可能である。
【００２１】
【発明の効果】
本願第１及び２の発明の実施によって、梱包箱の中敷きにおいて、組み立て時、縦仕切に交差する横仕切を直接触れることなく、台紙より起立させることを可能とした。特に、複数の横仕切を備えるものであっても、一度に全ての横仕切を起立させることを可能とし、組み立ての能率を著しく向上した。
【図面の簡単な説明】
【図１】本願発明の一実施の形態の全体の展開平面図である。
【図２】図１の実施の形態の組み立て途中の略斜視図である。
【図３】図１の実施の形態の組み立て完了後の略斜視図である。
【図４】（Ａ）は図２の一部切欠要部縦断面図であり、（Ｂ）は図３の一部切欠要部縦断面図である。
【図５】他の実施の形態の全体の展開平面図である。
【図６】従来品の組み立て完了後を示す一部切欠斜視図である。
【図７】従来品の組み立て途中を示す一部切欠斜視図である。
【符号の説明】
１    台紙
２    縦仕切
３    横仕切
４    延設部
１１    第１片
１２    第２片
１３    横仕切用主片
１４    横仕切用副片
２１    左面構成片
２２    右面構成片
１００    山折目線
１０１    第１谷折目線
１０２    第２谷折目線
１０３    横谷折目線
１０４    横切込線
１０５    副切込線
１０６    横延長切込線
１０７    副谷折目線
【図１】
0003803303.tif 000002
【図２】
0003803303.tif 000003
【図３】
0003803303.tif 000004
【図４】
0003803303.tif 000005
【図５】
0003803303.tif 000006
【図６】
0003803303.tif 000007
【図７】
0003803303.tif 000008